(57)【要約】【課題】ポンプ等の風水力機械のリユースを促進する。【解決手段】回収希望ユーザ１は回収センタ３が提供するウエブページ上でポンプの回収を依頼すると、該ポンプに一意的なカルテ番号が付与される。回収されたポンプは、逆工場５に搬送されて試験され、分解され、再使用不可能な部品が再使用部品又は新品と取り替えられる。逆工場の再生可否判断部５１１は、ポンプの性能を判断するための複数の属性を表す画面を作業員に提示する。画面上で作業員が属性の詳細を入力すると、再生可否判断部５１１は、該詳細を判断ルールに適用することによって、自動的に再生可否を判断する。再生ポンプは、逆工場５において試験され、販売価格が決定される。【選択図】図２
2004272891.tif 000002
【特許請求の範囲】
【請求項１】
コンピュータを利用して、利用済みの風水力機械の再生を支援するシステムにおいて、
回収される風水力機械に関する第１群の属性に基づいて再生可能性を判断するための第１のルールを記憶した第１の記憶手段と、
第１群の属性の詳細を入力する欄を有する画面を提供する手段と、
入力された第１群の属性の詳細を、第１の記憶手段に記憶された第１のルールに適用することにより、該当する風水力機械が再生可能であるか否かを自動的に判定する再生可否判定手段と、
判定された再生可否判断の結果を示す画面を提供する手段と
からなることを特徴とする再生支援システム。
【請求項２】
請求項１記載の再生支援システムにおいて、風水力機械はポンプであり、第１群の属性は、ポンプの形式、使用年数、使用液、使用場所、フランジ部の状態、及び、手回しの可否を含んでいることを特徴とする再生支援システム。
【請求項３】
請求項１又は２記載の再生支援システムにおいて、該システムはさらに、風水力機械の再生作業のスケジューリングを支援するためのスケジューリング支援手段を備え、該スケジューリング支援手段は、
再生可能であると判定された風水力機械に関する第２群の属性及び再生作業者の熟練度の属性に基づいて風水力機械の再生作業に要する標準作業時間を設定するための第２のルールを記憶した第２の記憶手段と、
第２群の属性及び熟練度の属性の詳細を入力する欄を有する画面を提供する手段と、
入力された第２群の属性及び熟練度の属性の詳細を、第２の記憶手段に記憶された第２のルールに適用することにより、該当する風水力機械の標準作業時間を自動的に設定する標準作業時間設定手段と、
設定された標準作業時間を画面上で提供する手段と
からなることを特徴とする再生支援システム。
【請求項４】
請求項３記載の再生支援システムにおいて、風水力機械はポンプであり、第２群の属性は、ポンプの形式、駆動形式、及び、吸込口径を含んでいることを特徴とする再生支援システム。
【請求項５】
請求項１〜４いずれかに記載の再生支援システムにおいて、該システムはさらに、
再生された風水力機械に使用した部品及びその原価、並びに再生作業時間に基づいて製品原価を演算し、かつ、該製品原価、試験結果、及び、該風水力機械と同種類の新品の市場価格に基づいて、風水力機械の販売価格を自動的に設定する価格設定手段
を備えていることを特徴とする再生支援システム。
【請求項６】
請求項１〜５いずれかに記載の再生支援システムにおいて、該システムはさらに、
購入希望ユーザの希望仕様に沿った風水力機械の部品構成及び性能及び価格を演算する手段
を備えていることを特徴とする再生支援システム。
【請求項７】
請求項１〜６いずれかに記載の再生支援システムにおいて、該システムはさらに、
部品データ及び再生プロセスシミュレーション結果に基づいて、再生された風水力機械のトータルライフサイクルコスト（ＴＬＣＣ）を演算し蓄積する手段と、
再生支援システムにおける年間のＴＬＣＣを演算する手段と
を備えていることを特徴とする再生支援システム。
【請求項８】
コンピュータを利用して風水力機械の再利用を支援するシステムにおいて、
風水力機械の回収の支援を行う回収支援手段と、
回収された風水力機械を再生可能であるか否かを自動的に判定する再生可否判定手段と、
回収された風水力機械の分解又は再生を支援する再生支援手段であって、回収された風水力機械の分解に必要な情報、再生される風水力機械の組み立てに必要な情報を提示する再生支援手段と、
再生された風水力機械を販売する販売手段であって、販売される風水力機械の履歴情報及び販売情報を提供する販売手段と
からなることを特徴とする再生支援システム。
【請求項９】
コンピュータを利用して風水力機械の再利用を支援するシステムにおいて、
風水力機械の回収の支援を行う回収支援手段と、
回収された風水力機械の分解又は再生を支援する再生支援手段であって、回収された風水力機械の分解に必要な情報、再生される風水力機械の組み立てに必要な情報を提示する再生支援手段と、
再生される風水力機械の再生作業のスケジューリングを自動的に行うスケジューリング支援手段と、
再生された風水力機械を販売する販売手段であって、販売される風水力機械の履歴情報及び販売情報を提供する販売手段と
からなることを特徴とする再生支援システム。
【請求項１０】
コンピュータを利用して風水力機械の再利用を支援するシステムにおいて、
風水力機械の回収の支援を行う回収支援手段と、
回収された風水力機械の分解又は再生を支援する再生支援手段であって、回収された風水力機械の分解に必要な情報、再生される風水力機械の組み立てに必要な情報を提示する再生支援手段と、
回収され再生された風水力機械の販売価格を自動的に設定する価格設定手段と、
再生された風水力機械を販売する販売手段であって、販売される風水力機械の履歴情報及び販売情報を提供する販売手段と
からなることを特徴とする再生支援システム。
【請求項１１】
コンピュータを利用して風水力機械の再利用を支援するシステムにおいて、
風水力機械の回収の支援を行う回収支援手段と、
回収された風水力機械を再生可能であるか否かを自動的に判定する再生可否判定手段と、
回収された風水力機械の分解又は再生を支援する再生支援手段であって、回収された風水力機械の分解に必要な情報、再生される風水力機械の組み立てに必要な情報を提示する再生支援手段と
からなることを特徴とする再生支援システム。
【請求項１２】
コンピュータを利用して風水力機械の再利用を支援するシステムにおいて、
風水力機械の回収の支援を行う回収支援手段と、
回収された風水力機械の分解又は再生を支援する再生支援手段であって、回収された風水力機械の分解に必要な情報、再生される風水力機械の組み立てに必要な情報を提示する再生支援手段と、
再生される風水力機械の再生作業のスケジューリングを自動的に行うスケジューリング支援手段と
からなることを特徴とする再生支援システム。
【請求項１３】
コンピュータを利用して風水力機械の再利用を支援するシステムにおいて、
風水力機械の回収の支援を行う回収支援手段と、
回収され再生された風水力機械の販売価格を自動的に設定する価格設定手段と、
再生された風水力機械を販売する販売手段であって、販売される風水力機械の履歴情報及び販売情報を提供する販売手段と
からなることを特徴とする再生支援システム。
【請求項１４】
コンピュータを利用して風水力機械の再利用を支援するシステムにおいて、
回収された風水力機械を再生可能であるか否かを自動的に判定する再生可否判定手段と、
回収された風水力機械の分解又は再生を支援する再生支援手段であって、回収された風水力機械の分解に必要な情報、再生される風水力機械の組み立てに必要な情報を提示する再生支援手段と
からなることを特徴とする再生支援システム。
【請求項１５】
コンピュータを利用して風水力機械の再利用を支援するシステムにおいて、
回収された風水力機械の分解又は再生を支援する再生支援手段であって、回収された風水力機械の分解に必要な情報、再生される風水力機械の組み立てに必要な情報を提示する再生支援手段と、
再生される風水力機械の再生作業のスケジューリングを自動的に行うスケジューリング支援手段と
からなることを特徴とする再生支援システム。
【請求項１６】
コンピュータを利用して風水力機械の再利用を支援するシステムにおいて、
回収され再生された風水力機械の販売価格を自動的に設定する価格設定手段と、
再生された風水力機械を販売する販売手段であって、販売される風水力機械の履歴情報及び販売情報を提供する販売手段と
からなることを特徴とする再生支援システム。
【発明の詳細な説明】
【技術分野】
【０００１】
本発明は、循環型社会形成を推進するための、風水力機械の再生支援システムに関し、より詳細には、回収されたポンプ等の風水力機械の部品を有効に再生するための再生支援システムに関する。なお、風水力機械には、ポンプ、ファン、真空ポンプ、標準型の冷凍機等が含まれている。
【背景技術】
【０００２】
近年、世界的規模で環境問題と社会生活との連関及び調和についての認識が高まってきている。このような環境への認識の高まりによって、環境改善へのより一層の努力が行われるようになってきており、環境負荷が低い新しい社会スタイル及び新しい産業活動スタイルへの変革が進みつつある。
【０００３】
このような状況において、回収された種々の排出物のリサイクル、すなわち、排出物から有価物である材料を抽出し、該有価物材料を再利用可能な部品・部材に再生するための支援システムについて、種々提案されている。これらのリサイクル支援システムにおいては、排出物からの有価物を適宜の製品に再利用可能な材料レベルにまで加工して、製品の製造業者に引き渡すことを意図している。
一方、排出物のリユース、すなわち、排出物中の部品をそのまま製品の部品として再使用することの重要性についても、注目されている。このリユースは、排出物中の部品を材料レベルにまで加工することなく、ほぼそのままの状態で再使用するため、環境に対する影響がより低い有効な手法である。
【０００４】
本出願人は、排出物として特に風水力機械のリユース（再利用）を効果的に支援するための再利用支援システムを既に開発し、特許出願した。この再利用支援システムは、その主要部として、風水力機械の回収依頼を受け付ける回収申込ウエブページを提供し、かつ回収の指示を回収作業者に提供する回収支援部と、回収された風水力機械の分解に必要な情報、再生される風水力機械の組立に必要な情報を提示する再生支援部と、再生された風水力機械を販売する販売部であって、販売される風水力機械の履歴情報及び販売情報をウエブ上で提供する販売部とを備えている。
【発明の開示】
【発明が解決しようとする課題】
【０００５】
上記した再利用支援システムにおける再生支援部の一実施形態においては、風水力機械を再生するための逆工場において、回収された風水力機械が再生可能であるか否かは、熟練組立工等の専門技能者が、風水力機械の実際の状態を視認し、自分の経験による勘に基づいて判定している。専門技能者による判定は、ポンプの使用年数等の定量値に基づく判定に比べて再生可能なポンプを適切に判定可能であるが、再生可否の判断のために専門技能者を養成する必要がある。また、専門技能者を必要とするため、逆工場に風水力機械を搬送してから再生可否の判断を行っており、したがって、再生に適していない風水力機械であっても、逆工場に一旦収集させる必要がある。そして、再生に適していない風水力機械であると判断した後に、逆工場からリサイクル・メーカに搬送しているため、搬送に２重手間がかかっている。
【０００６】
また、再生支援部の一実施形態においては、風水力機械の再生作業のスケジューリングを行う作業者に、再生利用部品の在庫情報及び必要部品リストを画面上で提供するよう構成されている。しかしながら、作業者は、画面上の情報を見ながら、自身の判断で作業スケジュールを作成しているため、場合によっては、効率的なスケジュールが作成できなかった。
【０００７】
さらに、再生支援部の一実施形態においては、再生された風水力機械の販売価格を、製品原価、試験結果及び同類新製品の市場価格をモニタ画面上に提示する手段を備えている。しかしながら、この場合も、価格設定の専門技能者が、これら情報に基づいて、再生された風水力機械の販売価格を決定しており、専門技能者を養成する必要がある。
【０００８】
本発明は、このような問題点に鑑みてなされたものであり、その第１の目的は、専門技能者を必要とせずに、回収された風水力機械の再生可能性の判断を自動的に行えるようにすることである。
本発明の第２の目的は、再生作業のスケジューリングを自動的に行えるようにすることである。
本発明の第３の目的は、専門技能者を必要とせずに、回収され再生された風水力機械の販売価格の設定を自動的に行えるようにすることである。
【課題を解決するための手段】
【０００９】
上記した目的を達成するために、本発明は、コンピュータを利用して、利用済みの風水力機械の再生を支援するシステムであって、
回収される風水力機械に関する第１群の属性に基づいて再生可能性を判断するための第１のルールを記憶した第１の記憶手段と、
第１群の属性の詳細を入力する欄を有する画面を提供する手段と、
入力された第１群の属性の詳細を、第１の記憶手段に記憶された第１のルールに適用することにより、該当する風水力機械が再生可能であるか否かを自動的に判定する再生可否判定手段と、
判定された再生可否判断の結果を示す画面を提供する手段と
からなることを特徴とする再生支援システムを提供する。
【００１０】
また、本発明に係る風水力機械の再生支援システムにおいては、上記構成に加えて、風水力機械の再生作業のスケジューリングを支援するためのスケジューリング支援手段を備え、該スケジューリング支援手段は、再生可能であると判定された風水力機械に関する第２群の属性及び再生作業者の熟練度の属性に基づいて風水力機械の再生作業に要する標準作業時間を設定するための第２のルールを記憶した第２の記憶手段と、第２群の属性及び熟練度の属性の詳細を入力する欄を有する画面を提供する手段と、入力された第２群の属性及び熟練度の属性の詳細を、第２の記憶手段に記憶された第２のルールに適用することより、該当する風水力機械の標準作業時間を自動的に設定する標準作業時間設定手段と、設定された標準作業時間を画面上で提供する手段とを備えることが好ましい。
【００１１】
さらに、本発明に係る風水力機械の再生支援システムにおいては、上記構成に加えて、再生された風水力機械に使用した部品及びその原価、並びに再生作業時間に基づいて製品原価を演算し、かつ、該製品原価、試験結果、及び、該風水力機械と同種類の新品の市場価格に基づいて、風水力機械の販売価格を自動的に設定する価格設定手段を備えることが好ましい。
【００１２】
上記の風水力機械の再生支援システムにおいて、風水力機械はポンプであり、第１群の属性は、ポンプの形式、使用年数、使用液、使用場所、フランジ部の状態、及び、手回しの可否を含んでおり、第２群の属性は、ポンプの形式、駆動形式、及び、吸込口径を含んでいることが好適である。
【００１３】
上記の風水力機械の再生支援システムにおいては、上記構成に加えて、部品データに基づいて、購入希望ユーザの希望仕様に沿った風水力機械の部品構成及び性能を演算する手段を備えていることが好ましく、また、部品データ及び再生プロセスシミュレーション結果に基づいて、再生された風水力機械のトータルライフサイクルコスト（ＴＬＣＣ）を演算し蓄積する手段と、再生支援システムにおける年間のＴＬＣＣを演算する手段とを備えていることが好ましい。
【００１４】
また、別の観点では、本発明は、コンピュータを利用して風水力機械の再利用を支援するシステムにおいて、
風水力機械の回収の支援を行う回収支援手段と、
回収された風水力機械を再生可能であるか否かを自動的に判定する再生可否判定手段と、
回収された風水力機械の分解又は再生を支援する再生支援手段であって、回収された風水力機械の分解に必要な情報、再生される風水力機械の組み立てに必要な情報を提示する再生支援手段と、
再生された風水力機械を販売する販売手段であって、販売される風水力機械の履歴情報及び販売情報を提供する販売手段と
からなることを特徴とする再生支援システムを提供する。
【００１５】
さらに別の観点では、本発明は、コンピュータを利用して風水力機械の再利用を支援するシステムにおいて、
風水力機械の回収の支援を行う回収支援手段と、
回収された風水力機械の分解又は再生を支援する再生支援手段であって、回収された風水力機械の分解に必要な情報、再生される風水力機械の組み立てに必要な情報を提示する再生支援手段と、
再生される風水力機械の再生作業のスケジューリングを自動的に行うスケジューリング支援手段と、
再生された風水力機械を販売する販売手段であって、販売される風水力機械の履歴情報及び販売情報を提供する販売手段と
からなることを特徴とする再生支援システムを提供する。
【００１６】
さらに別の観点では、本発明は、コンピュータを利用して風水力機械の再利用を支援するシステムにおいて、
風水力機械の回収の支援を行う回収支援手段と、
回収された風水力機械の分解又は再生を支援する再生支援手段であって、回収された風水力機械の分解に必要な情報、再生される風水力機械の組み立てに必要な情報を提示する再生支援手段と、
回収され再生された風水力機械の販売価格を自動的に設定する価格設定手段と、
再生された風水力機械を販売する販売手段であって、販売される風水力機械の履歴情報及び販売情報を提供する販売手段と
からなることを特徴とする再生支援システムを提供する。
【００１７】
さらに別の観点では、コンピュータを利用して風水力機械の再利用を支援するシステムにおいて、
風水力機械の回収の支援を行う回収支援手段と、
回収された風水力機械を再生可能であるか否かを自動的に判定する再生可否判定手段と、
回収された風水力機械の分解又は再生を支援する再生支援手段であって、回収された風水力機械の分解に必要な情報、再生される風水力機械の組み立てに必要な情報を提示する再生支援手段と
からなることを特徴とする再生支援システムを提供する。
【００１８】
さらに別の観点では、本発明は、コンピュータを利用して風水力機械の再利用を支援するシステムにおいて、
風水力機械の回収の支援を行う回収支援手段と、
回収された風水力機械の分解又は再生を支援する再生支援手段であって、回収された風水力機械の分解に必要な情報、再生される風水力機械の組み立てに必要な情報を提示する再生支援手段と、
再生される風水力機械の再生作業のスケジューリングを自動的に行うスケジューリング支援手段と
からなることを特徴とする再生支援システムを提供する。
【００１９】
さらに別の観点では、本発明は、コンピュータを利用して風水力機械の再利用を支援するシステムにおいて、
風水力機械の回収の支援を行う回収支援手段と、
回収され再生された風水力機械の販売価格を自動的に設定する価格設定手段と、
再生された風水力機械を販売する販売手段であって、販売される風水力機械の履歴情報及び販売情報を提供する販売手段と
からなることを特徴とする再生支援システムを提供する。
【００２０】
さらに別の観点では、本発明は、コンピュータを利用して風水力機械の再利用を支援するシステムにおいて、
回収された風水力機械を再生可能であるか否かを自動的に判定する再生可否判定手段と、
回収された風水力機械の分解又は再生を支援する再生支援手段であって、回収された風水力機械の分解に必要な情報、再生される風水力機械の組み立てに必要な情報を提示する再生支援手段と
からなることを特徴とする再生支援システムを提供する。
【００２１】
さらに別の観点では、本発明は、コンピュータを利用して風水力機械の再利用を支援するシステムにおいて、
回収された風水力機械の分解又は再生を支援する再生支援手段であって、回収された風水力機械の分解に必要な情報、再生される風水力機械の組み立てに必要な情報を提示する再生支援手段と、
再生される風水力機械の再生作業のスケジューリングを自動的に行うスケジューリング支援手段と
からなることを特徴とする再生支援システムを提供する。
【００２２】
さらに別の観点では、本発明は、コンピュータを利用して風水力機械の再利用を支援するシステムにおいて、
回収され再生された風水力機械の販売価格を自動的に設定する価格設定手段と、
再生された風水力機械を販売する販売手段であって、販売される風水力機械の履歴情報及び販売情報を提供する販売手段と
からなることを特徴とする再生支援システムを提供する。
【発明の実施の形態】
【００２３】
図１は、本発明に係る風水力機械の再生支援システムを備える逆工場を中心とした、風水力機械の再利用支援ネットワークシステムの概略を示す説明図である。図１において、１は回収依頼を行うユーザ（回収希望ユーザ）、２は再生された風水力機械を購入希望するユーザ（購入希望ユーザ）である。３は風水力機械を回収する回収センタ、４は再生された風水力機械を販売する販売センタ、５は本発明に係る再生支援システムを備え、かつ、回収された風水力機械を分解・解体し、再度風水力機械として再生する逆工場、６は、解体後の再使用不可能な部品を材料レベルに加工するリサイクル・メーカである。
なお、風水力機械の回収を希望するユーザ１と再生風水力機械の購入を希望するユーザ２とは、同一である場合が多いが、このような場合でも、説明の便宜上、別のユーザとして示すことにする。また、図中、実線は基本的な情報の流れを示し、点線は、基本的な物流を示すものとする。
【００２４】
回収希望ユーザ１は、回収センタ３とインターネット、電話、ＦＡＸ等の適宜の公衆通信回線を介して接続されており、同様に、購入希望ユーザ２は販売センタ４に上記した適宜の公衆通信回線を介して接続されている。これにより、ユーザはポンプの回収及び再生ポンプの購入を、行うことができる。また、逆工場５は、回収センタ３及び販売センタ４とインターネット又は専用通信回線を介して接続されている。回収センタ３及び販売センタ４を、逆工場５内に設けてもよい。
【００２５】
本発明に係る再生支援システムは、逆工場５におけるコンピュータ上でプログラムを実行することにより実現されるものである。以下に、該システムを、風水力機械がポンプである場合を一例として、図２〜図８を参照してより詳細に説明する。
逆工場５は、図２に示すように、ＡＳＰサーバ５１を含み、該サーバの機能は、再生可否判定部５１１と、解体支援部５１２と、再生スケジューリング支援部５１３、組立支援部５１４、再生品試験支援部５１５、再生品価格決定部５１６、カタログ作成支援部５１７、希望仕様ポンプ判定部５１８、ＴＣＬＬ／ＬＣＡ演算部５１９とに大別することができる。
【００２６】
逆工場５は、また、種々のデータベースを含み、該データベースは、ポンプＤＢ５２１、ポンプの構造に関する情報を記憶した製品構造ＤＢ５２２、部品の在庫情報を記憶した在庫ＤＢ５２３、再生ポンプを製造するための工程を管理するための情報を記憶した再生工程管理ＤＢ５２４、テスト情報を記憶した試験管理ＤＢ５２５、価格管理ＤＢ５２６、ＴＣＬＬ／ＬＣＡ情報ＤＢ５２７を含んでいる。ポンプＤＢ５２１は、回収センタ３からの、回収されたポンプに関するカルテ番号、形式情報、履歴情報、及び現況情報を記憶し、さらに、逆工場５において実行される種々の作業結果に関する情報を、カルテ番号に対応づけて記憶する。
逆工場５はさらに、入出力用の複数のＰＣ端末５３及びプリンタ５４を備えている。
【００２７】
再生可否判断部５１１は、回収され搬送されたポンプが再生可能であるか否かを判定する機能を有している。この機能を実行するため、再生可否判断部５１１は、図３に例示するような、回収されるポンプに添付された形式情報、現況情報、履歴情報を入力するための画面を、逆工場５のＰＣ端末５３上に表示可能とし、作業者は、画面上で情報を入力する。
図３に示した例においては、「ポンプ形式」（形式情報）、「使用年数」（履歴情報）、「使用液」（履歴情報）、「使用場所」（履歴情報）、「フランジ部状態」（現況情報）、及び「手回し可否」（現況情報）を含むポンプ属性の詳細を入力するための入力欄を設けている。
【００２８】
属性「ポンプ形式」の欄には、ポンプが「直結型」であるか「直動型」であるかの詳細を入力する。
属性「使用液」の欄には、ポンプを「清水」、「ケミカル」、又は「汚水」中で使用したかの詳細を入力する。
属性「フランジ部状態」の欄には、ポンプのフランジ部が「正常」、「ややサビあり」、及び「かなりサビあり」の３段階評価のいずれの状態であるかの詳細を入力する。
【００２９】
このようにして入力された情報に基づいて、再生可否判断部５１１はポンプの再生可能性を判断する。図４は、再生可否判断部５１１による再生可能性の判断ルール（判断ツリー）の一例を示している画面である。この判断ルールは、コンピュータのプログラムで構成され、かつ、必要に応じて逆工場５のＰＣ端末５３上に表示することができるよう構成されている。図４に例示した判断ルールでは、まず、「使用液」が何であったかによる判定を行い、次いで、場合に応じて、「フランジ部状態」、「ポンプ形式」、「使用年数」の順に判定を行うよう、ルール化されている。図４に例示した判断ルールに、さらに「使用場所」及び「手回し」に基づく判断を含ませることができる。
【００３０】
図５は、図４に示した判断ルールに基づいて再生可否判断部５１２が再生可能性を判断した結果を、入力された属性の詳細情報とともに表示した画面を示している。この例においては、回収された複数のポンプが再生可能であるか否かの判断結果を同一画面上で表示している。
また、判断ルールには、逆工場５におけるポンプ再生工程での結果（実際に再生可能であったかどうか）、及び、リサイクル・メーカ６におけるリサイクル製品製造工程での結果（リユース可能なポンプがリサイクルに回されてきたかどうか）がフィードバックされ、これを学習して、判断ルールが洗練される。
【００３１】
なお、再生可否判断部５１２は、再生支援システムの稼働初期時には、データベースに記憶されたポンプの使用年数等の設定値と実際の値との対比して、再生可能性の判定を行う。そしてその後、実際のポンプの再生判定を行う度に、設定された定量値による判断と再生判定担当者（熟練工）の判断の差分を記録して知識ベースを構築し、該構築された知識ベースに基づいて再生可能性の判定を行う。
このとき、事前にメタルールやロジックで範囲を規定した自己学習ではなく、再生判定担当者の判断である原データを知識ベースに蓄積し、ルール誘導及び再利用が可能な自己学習型のワークフローとなる。そして、再生判定担当者のノウハウを数量化しなくても、知識ベースに反映することができる。すなわち、人間の判断ロジックには、数量化できない属性（例えば、多い、少ない）が存在する。本発明に係る再生支援システムにおいては、そのような属性を一時的に曖昧な値として知識ベースに登録しておき、洗練され、数量化されるまでの間、該曖昧な値を代用する。
再生可能性判定のために構築された知識ベースは、ウエブ上で顧客もアクセス可能である。
【００３２】
再生可否判断部５１１における判断の結果、再生可能であると判定されたポンプのみが解体作業にまわされ、それ以外の回収ポンプは、マテリアルリサイクルのためにリサイクル・メーカ６（図１）に搬送される。
なお、再生可否判断部５１１の機能は、回収作業者によっても利用することができる。ポンプの回収先で再生可否判断部５１１にアクセスしてこの判断機能を利用することにより、回収したポンプが再生可能であるか否かを直ちに判定することができるので、ポンプを逆工場５に搬送すべきか又はリサイクル・メーカ６に搬送すべきかを、回収先で決定することができる。
【００３３】
解体支援部５１２は、ポンプＤＢ５２１に記憶された回収ポンプの形式情報に基づいて、製品構造ＤＢ５２２から当該ポンプの構造に関する情報を読み出し、解体作業員のＰＣ端末５３上に表示させる機能である。読み出された情報は、必要に応じてプリンタ５４からも出力される。解体作業者は、読み出されたポンプ構造に基づいて、解体作業を行う。なお、本明細書において「解体」とは、部品すべてを個別に解体する場合も含むが、通常は、例えば、ポンプの羽根車又はライナーリングのみ等のように、一部の部品のみを取り除く場合を意図している。
【００３４】
そして、解体作業者は、解体後の部品を再利用可能なものと不可能なものとに選別する。このとき、試験管理ＤＢ５２５から部品に関するチェック項目をＰＣ端末５３上に読み出し、これら項目に基づいてチェックを行う。解体されかつ再利用可能であると判断された部品に関する情報は、解体作業者のＰＣ画面５３上の走査により、該当する元のポンプのカルテ番号と対応づけて、ポンプＤＢ５２１及び在庫ＤＢ５２３に格納される。再生利用不可能な部品は、リサイクル・メーカ６（図１）に搬送される。搬送される部品の移動管理情報は、カルテ番号に対応づけてポンプＤＢ５２１に記憶される。なお、在庫ＤＢ５２３には、解体によって得られた再生利用可能な部品（再利用部品）だけではなく、新しい部品（新規部品）に関する在庫情報も記憶される。
再利用部品は、逆工場５の再生（組立）部門に搬送される。
【００３５】
逆工場５の再生部門の作業は、再生スケジューリング支援部５１３、組立支援部５１４、再生品試験支援部５１５によって支援される。
再生スケジューリング支援部５１４は、在庫ＤＢ５２３に記憶された再利用部品の在庫情報、及び、製品構造ＤＢ５２２に記憶されたポンプの種類毎に必要な部品のリストを、再生スケジューリングの作業員のＰＣ端末５３上に呈示する。
再生スケジューリング支援部５１３はまた、再生ポンプ毎すなわちカルテ番号毎に、組み立て作業に要する標準作業時間（ＳＴ）を設定する。標準作業時間の設定においては、図６に例示するような、組立作業員の「熟練度」及びポンプの「形式」「駆動形式」、及び「吸入口径」を含む属性の詳細を入力するための画面を、スケジューリング作業者のＰＣ端末５３に提示する。
【００３６】
そして、再生スケジューリング支援部５１３は、図７に例示するような判断ルールに入力された属性の詳細を照らし合わせ、組立に要する標準作業時間を自動的に決定し、その結果を、図８に例示するような画面として、ＰＣ端末５３上に提示する。図６〜図８に示した例では、カルテ番号１のポンプは、担当する組立作業員の熟練度が「中」程度で、ポンプ形式が「陸上縦型」で、駆動形式が「直動型」で、吸入口径が「〜１００」であることが、スケジューリング作業者によって入力され、その結果、標準作業時間係数が「０．８」であることを示している。
【００３７】
同一のポンプであっても、組立作業者の熟練度に応じて標準作業時間が変動するので、熟練度毎に各ポンプの組立に要する標準作業時間を判定しておくことが好ましい。
図７に例示した判断ルールも、実績値に基づいて洗練される。
【００３８】
再生スケジューリング支援部５１３はさらに、再生すべきポンプの組立再生工程をシミュレーションする。このシミュレーションにおいては、上記した標準作業時間を考慮し、さらには、組立再生工程での実績値に基づいて予め作成されたルールに基づき、設備の電力、洗浄液などのリソースの使用が最小となるようにシミュレーションを行う。
そして、組立作業時間及び組立作業者の熟練度に基づいた組み立て作業のスケジューリングが完了すると、スケジューリング作業者は、ＰＣ端末５３上に呈示された再利用部品の在庫情報及び必要部品リストを参照して、ポンプ組立に必要な在庫部品を組立作業の各工程に割り当てる。このとき、必要な新規部品も指定し、新規部品の在庫がない場合には、その購入も指示する。作成されたスケジューリングは、再生工程管理ＤＢ５２４に格納される。
【００３９】
組立支援部５１４は、再生工程ＤＢ５２４に記憶されたスケジューリングに基づいて、組立作業員がポンプを組み立てる際に支援する機能である。組立作業員は、ＰＣ端末５３上に再生工程管理ＤＢ５２４から再生スケジューリング・テーブルを読み出し、指定された再利用部品及び新規部品を調達する。そして、指定された種類及び形式に対応するポンプの構造を製品構造ＤＢ５２２から読み出し、それに基づいて、ポンプの組立を行う。これにより、比較的経験の少ない作業員であっても、組み立て作業を容易にかつ確実に行うことができる。
【００４０】
ポンプの再生は、回収された複数のポンプの部品を使用して行われることが通常であるが、先に説明したように、これら部品には別々のカルテ番号が付加されている。完成後の再生ポンプには、これら使用した部品のすべてのカルテ番号が部品コードとともに付加されてポンプＤＢ５２１に格納される。再生ポンプのカルテ番号が識別情報として使用される。これにより、再生ポンプが、解体前のどのポンプのどの部品を採用して作成されたものか、特定することができる。
なお、部品に優先順位を持たせて、再生ポンプに採用した部品中のもっとも優先順位の高いもののカルテ番号を、再生ポンプの識別情報としてもよい。これにより、再生ポンプのカルテ番号が単純化される。
【００４１】
再生品試験支援部５１５は、完成した再生ポンプの性能試験を支援する機能である。試験作業員は、ＰＣ端末５３上に試験管理ＤＢ５２５から、再生ポンプの種類に対応するチェック項目を読み出し、該項目に応じて試験を行い、その試験結果を、再生ポンプのカルテ番号に関連付けて、ポンプＤＢ５２１に格納する。再生品の試験においては、カルテ番号毎に、場合によっては複数回、「吐出し量」、「全楊程」、「ポンプ効率」及び「電力効率」等の種々の性能試験が実行される。試験をパスしたポンプのみが、販売の対照となり、パスしないポンプは、再調整にまわされるか、又はリサイクル・メーカ６に搬送される。
【００４２】
販売の対象となった再生ポンプには、価格決定部５１６により、一貫性のある販売価格が設定される。販売価格設定においては、ポンプＤＢ５２１中の再生ポンプに関する情報、新規部品を採用している場合には価格ＤＢ５２６中のその部品原価に基づいて、再生ポンプの原価が自動的に演算される。原価計算においては、再生ポンプに利用された新規部品の種類及び数量並びに再生作業時間に基づいて、自動的に原価計算される。
価格決定部５１６はさらに、演算された原価、試験結果、外観、さらには同一機種の新品ポンプの市場価格（価格ＤＢ５２６から）等を条件とする判断ルールに基づいて、再生ポンプの販売価格を決定する。決定された販売価格は、ポンプＤＢ５２１に格納される。
【００４３】
販売価格が決定されると、カタログに載せるために再生ポンプを撮影し、カタログ作成支援部５１７の制御の元で、その写真に対応するカルテ番号が付与される。そして、その画像情報を、カルテ番号に関連付けて、ポンプＤＢ５２１に記憶する。
【００４４】
再生され販売に供せられる再生ポンプに関する形式情報、画像情報、履歴情報、試験結果情報、価格情報、及びカルテ番号は、すべてポンプＤＢ５２１に記憶され、そして、該ＤＢ５２１から読み出されて、販売センタ４（図１）に配信され、ウエブ上のカタログ・ページで公開される。再生ポンプが販売されたとき、ポンプＤＢ５２１中に、該再生ポンプが販売済であることを表すマークが付与される。
【００４５】
本システムにおいては、上記のように、ウエブ上のカタログ・ページ上で再生ポンプを提示して販売することに加えて、購入希望ユーザ２が販売センタ４のウエブ・ページを介して希望仕様のポンプを注文することもできる。
このため、希望仕様ポンプ判定部５１８は、販売センタ４を介してユーザからの希望仕様データを受け取ると、製品構造ＤＢ５２２及び在庫ＤＢ５２３に格納されている部品情報に基づいて、代表的な１又は複数のポンプのモデルに対して部品を付加あるいは削除することにより、希望仕様ポンプの再生に必要な部品を決定する。そして、再生スケジューリング支援部５１３により希望仕様ポンプの再生完了の時期を推定させ、再生品試験支援部５１５により希望仕様のポンプの性能を推定させ、価格決定部５１６により機能仕様のポンプの価格を決定させる。
このようにして得られた再生完了時期、性能、価格の情報は、販売センタ４に通信される。販売センタ４では、販売担当者によって再生されるポンプの機能面の確認が行われた後、引き渡し時期、性能及び価格が、ウエブ上で購入希望ユーザ２に提示される。ユーザがこれらの情報を確認して購入を決定すると、ウエブ上で発注が行われる。これにより、逆工場５では、発注されたポンプの再生を開始することができる。
【００４６】
ＴＬＣＣ／ＬＣＡ演算部５１９は、ポンプＤＢ５２１、製品構造ＤＢ５２２、再生工程ＤＢ５２４、価格ＤＢ５２６及びＴＬＣＣ／ＬＣＡ情報ＤＢ５２７の情報を参照して、再生したポンプそれぞれのトータルライフサイクルコスト（ＴＬＣＣ）及びライフサイクルアセスメント（ＬＣＡ）を演算する。演算されたＴＬＣＣ及びＬＣＡは、ＴＬＣＣ／ＬＣＡ情報ＤＢ５２７に格納される。また、ＴＬＣＣ演算部５１９は、逆工場５の全体としての年間のＴＬＣＣ及びＬＣＡを演算する。
【００４７】
上記説明においては、ポンプのリユースを例として説明したが、本発明は、ポンプに限らずリユースに適する風水力機械であれば、任意の機械の再利用支援システムとして有効であることは、明らかであろう。
【００４８】
本発明は、以上のように構成されているので、風水力機械を部品レベルまでの解体及びその再生を有効に支援することができ、また、材料レベルまで処理していないので、環境負荷を低減することができる。
また、回収した風水力機械を再生可能であるか否かを実際のデータを元に洗練されるルールに基づいて自動的に判定するので、再生可否判断のための熟練作業者を必要としない。
さらに、個々の風水力機械の再生組み立て作業の標準作業時間を実際のデータを元に洗練されるルールに基づいて自動的に設定することができるので、再生スケジューリングが容易となる。
さらにまた、ルールに基づいて価格設定するので、一貫性のある販売価格に設定することができ、販売希望ユーザの価格に対する満足度を得やすい。
【図面の簡単な説明】
【００４９】
【図１】本発明の風水力機械の再生支援システムを備えた逆工場を中心とする、再利用支援システムの概略を説明するためのブロック図である。
【図２】本発明の再生支援システムの構成を示した説明図である。
【図３】図２に示した再生可否判断部により提供される、属性の詳細を入力するための画面を例示する図である。
【図４】図２に示した再生可否判断部により利用される判断ルールの一例を示す画面の図である。
【図５】図２に示した再生可否判断部により判断され提供される再生可否の判断結果を例示する図である。
【図６】図２に示した再生スケジューリング支援部により提供される、属性の詳細を入力するための画面を例示する図である。
【図７】図２に示した再生スケジューリング支援部により利用される判断ルールの一例を示す画面の図である。
【図８】図２に示した再生スケジューリング支援部により決定され提供される標準作業時間を例示する図である。
【図１】
2004272891.tif 000003
【図２】
2004272891.tif 000004
【図３】
2004272891.tif 000005
【図４】
2004272891.tif 000006
【図５】
2004272891.tif 000007
【図６】
2004272891.tif 000008
【図７】
2004272891.tif 000009
【図８】
2004272891.tif 000010